(57)【要約】      （修正有）【課題】全体の組合せ構造が簡易で、使用及びメンテナンスコストを効果的に引き下げることができ、こうして構造全体を簡略化し、使用とメンテナンスのコストを低下させる効果を達成することができるソーラーパネル清掃装置の構造を提供する。【解決手段】ソーラーパネル清掃装置の構造は、制御体１０を備え、制御体１０はソーラーパネル体２０の底縁部２１或いは背面板部２２下縁に設置し、制御体１０に設置する時間コントローラー１２により、制御体１０に設置する駆動モーターを、一定の時間駆動し、同時に受動清掃部品１１０を連動し、ソーラーパネル体２０の表面を清掃させる。【選択図】図１
0003153488.tif 000002
【実用新案登録請求の範囲】
【請求項１】
ソーラーパネル清掃装置の構造は、制御体、ソーラーパネル体を備え、
前記制御体には、駆動モーター及び時間コントローラーを設置し、
前記駆動モーターは、受動清掃部品を結合し、
前記ソーラーパネル体には、底縁部を設置し、前記制御体は、ソーラーパネル体の底縁部に設置することを特徴とするソーラーパネル清掃装置の構造。
【請求項２】
前記受動清掃部品は、ブラシであることを特徴とする請求項１に記載のソーラーパネル清掃装置の構造。
【請求項３】
前記受動清掃部品は、スポンジであることを特徴とする請求項１に記載のソーラーパネル清掃装置の構造。
【請求項４】
前記ソーラーパネル体には、背面板部を設置し、
前記制御体は、前記ソーラーパネル体の背面板部下縁に設置することを特徴とする請求項１に記載のソーラーパネル清掃装置の構造。
【請求項５】
ソーラーパネル清掃装置の構造は、制御体、ソーラーパネル体、電力調節器を備え、
前記制御体には、駆動モーター及び時間コントローラーを設置し、
前記駆動モーターは、受動清掃部品を結合し、
前記ソーラーパネル体には、底縁部を設置し、前記制御体は、前記ソーラーパネル体の底縁部に設置し、しかも、前記ソーラーパネル体背面には、ジャンクションボックスを設置し、前記ジャンクションボックスには、接続コードを設置し、
前記電力調節器のインプット端は、前記ソーラーパネル体に設置するジャンクションボックスの接続コード及び前記駆動モーターと連接し、前記電力調節器のアウトプット端は、負荷に接続することを特徴とする請求項１に記載のソーラーパネル清掃装置の構造。
【請求項６】
前記受動清掃部品は、ブラシであることを特徴とする請求項５に記載のソーラーパネル清掃装置の構造。
【請求項７】
前記受動清掃部品は、スポンジであることを特徴とする請求項５に記載のソーラーパネル清掃装置の構造。
【請求項８】
前記ソーラーパネル体には、背面板部を設置し、前記而制御体は、前記ソーラーパネル体の背面板部下縁に設置することを特徴とする請求項５に記載のソーラーパネル清掃装置の構造。
【考案の詳細な説明】
【技術分野】
【０００１】
本考案はソーラーパネル清掃装置の構造に関し、特に太陽光発電パネルの清掃に応用する構造であるソーラーパネル清掃装置の構造に関する。
【背景技術】
【０００２】
従来のソーラーパネル清掃装置は、図７に示すように、数枚のソーラーパネル体４０、駆動装置４１、主動バーユニット４２、受動バーユニット４３、連動スクレイプユニット４４を備える。
駆動装置４１と主動バーユニット４２とは、ソーラーパネル体４０上表面に設置し、しかも、駆動装置４１と主動バーユニット４２とは連接する。
受動バーユニット４３は、ソーラーパネル体４０側辺に設置し、しかも、該受動バーユニット４３と該主動バーユニット４２は連動する。
連動スクレイプユニット４４は、ソーラーパネル体４０上に水平に跨いで設置し、しかも、該連動スクレイプユニット４４と該受動バーユニット４３とは、連動する。
駆動装置４１の作動により、主動バーユニット４２を駆動し、これにより主動バーユニット４２は、受動バーユニット４３を連動する。
こうして、受動バーユニット４３は連動スクレイプユニット４４を連動し、ソーラーパネル体４０表面のほこりや汚れを除去する。
【０００３】
しかし、上記した従来の構造には、以下の問題が存在する。
1.      構造全体が複雑：駆動装置及び主動バーユニットはソーラーパネル体の上表面に設置し、駆動装置と主動バーユニットは連接し、受動バーユニットはソーラーパネル体側辺に設置し、受動バーユニットと主動バーユニットは連動し、連動スクレイプユニットはソーラーパネル体上に水平に跨いで設置し、連動スクレイプユニットと受動バーユニットは連動する。このため、必要とする部品が多く面倒で、よって構造全体が複雑である。
2.      使用とメンテナンスコストが高い：駆動装置及び主動バーユニットはソーラーパネル体上表面に設置し、駆動装置と主動バーユニットとは連接し、受動バーユニットはソーラーパネル体側辺に設置し、受動バーユニットと主動バーユニットとは連動し、連動スクレイプユニットはソーラーパネル体上に水平に跨いで設置し、連動スクレイプユニットと受動バーユニットは連動する。このため、必要とする部品が多く面倒で、使用及びメンテナンスのコストを増大させ、よって、使用とメンテナンスコストが高い。
本考案は、従来のソーラーパネル清掃装置の構造の上記した欠点に鑑みてなされたものである。
【考案の概要】
【考案が解決しようとする課題】
【０００４】
本考案が解決しようとする課題は、従来のソーラーパネル清掃装置において、構造全体が複雑で、使用とメンテナンスコストが高いという問題を解決することができるソーラーパネル清掃装置の構造を提供することである。
【課題を解決するための手段】
【０００５】
上記課題を解決するため、本考案は下記のソーラーパネル清掃装置の構造を提供する。
ソーラーパネル清掃装置の構造は、制御体及びソーラーパネル体を備え、
該制御体には、駆動モーター及び時間コントローラーを設置し、
該駆動モーターは、受動清掃部品を結合し、
該ソーラーパネル体には、底縁部及び背面板部を設置し、
該制御体は、該ソーラーパネル体の底縁部、或いは背面板部下縁に設置し、
該制御体に設置する時間コントローラーにより、該制御体に設置する駆動モーターを、一定の時間に駆動し、
同時に、該受動清掃部品を連動し、該ソーラーパネル体の表面を清掃させる。
【考案の効果】
【０００６】
本考案の全体の組合せ構造は簡易で、使用及びメンテナンスコストを効果的に引き下げることができ、こうして構造全体を簡略化し、使用とメンテナンスのコストを低下させる効果を達成することができる。
【図面の簡単な説明】
【０００７】
【図１】本考案第一実施例の立体組合せ状態模式図である。
【図２】本考案第一実施例の立体分解状態模式図である。
【図３】本考案第一実施例の使用状態参考図である。
【図４】本考案第一実施例のソーラーパネル体と交流、直流コンバーター及び駆動モーターが接続する状態を示す模式図である。
【図５】本考案の第二実施例参考図である。
【図６】本考案の第三実施例参考図である。
【図７】本考案の従来の状態の参考図である。
【考案を実施するための形態】
【０００８】
以下に図面を参照しながら本考案を実施するための最良の形態について詳細に説明する。
【実施例】
【０００９】
本考案第一実施例のソーラーパネル清掃装置の構造の立体組合せ図、及び分解状態模式図である図１、２に示すように、本考案ソーラーパネル清掃装置は、制御体１０、ソーラーパネル体２０を備える。
制御体１０には、駆動モーター１１及び時間コントローラー１２を設置し、駆動モーター１１は、受動清掃部品１１０を結合する。
受動清掃部品１１０は、ブラシ或いはスポンジである。
ソーラーパネル体２０には、底縁部２１及び背面板部２２を設置し、制御体１０は、ソーラーパネル体２０の底縁部２１或いは背面板部２２下縁に設置する。
上記した構造の組合せにより、本考案ソーラーパネル清掃装置の構造を完成する。
【００１０】
本考案第一実施例のソーラーパネル清掃装置の構造の使用状態参考図である図３に示すように、制御体１０は、ソーラーパネル体２０の底縁部２１或いは背面板部２２下縁に設置し、制御体１０に設置する時間コントローラー１２により、制御体１０に設置する駆動モーター１１を、一定の時間に駆動する。
同時に、受動清掃部品１１０を連動し、ソーラーパネル体２０の表面を清掃する。
上記したように、その全体の組合せ構造は簡易で、しかも、使用及びメンテナンスコストを効果的に引き下げることができ、こうして構造全体を簡略化し、使用とメンテナンスのコストを低下させる効果を達成することができる。
【００１１】
本考案第一実施例のソーラーパネル体と交、直流コンバーター及び駆動モーターとの接続状態を示す模式図である図４に示すように、ソーラーパネル体２０の背面板部２２には、ジャンクションボックス２３を設置する。
ジャンクションボックス２３には、接続コード２３０を設置し、ソーラーパネル体２０のジャンクションボックス２３に設置する接続コード２３０を、電力調節器３０のインプット端に接続する。
駆動モーター１１もまた、電力調節器３０のインプット端に接続する。
電力調節器３０のアウトプット端は、負荷に接続する。
【００１２】
本考案ソーラーパネル清掃装置の構造の第二、三実施例参考図である図５、６に示すように、その構造全体は、図１〜４に示す本考案第一実施例と相同である。
唯一の相違点は、ソーラーパネル体２０を３枚、或いは６枚に増やすことである。
３枚に増やした時には、制御体１０の駆動モーター１１に設置する受動清掃部品１１０の長さを長くする必要がある。
また、６枚に増やした時には、制御体１０をソーラーパネル体２０の中段位置に設置し、しかも、制御体１０の駆動モーター１１に設置する受動清掃部品１１０の長さを長くする。
すなわち、受動清掃部品１１０の長さが延伸するだけで、構造全体に変化はなく、本考案の実用性を増強することができる。
【００１３】
上記したように、本考案には以下の長所が存在する。
1.      構造全体を簡略化：制御体１０には、駆動モーター１１及び時間コントローラー１２を設置し、駆動モーターは、受動清掃部品１１０を結合し、ソーラーパネル体には、底縁部２１及び背面板部２２を設置し、制御体は１０、ソーラーパネル体２０の底縁部２１或いは背面板部２２下縁に設置するため、組合せ構造が簡易で、よって構造全体を効果的に簡略化することができる。
2.      使用とメンテナンスコストを低下：制御体１０に設置する時間コントローラー１２は、制御体１０に設置する駆動モーター１１を、一定の時間に駆動し、受動清掃部品１１０を連動し、ソーラーパネル体２０の表面を清掃させるため、その全体の組合せ構造は簡易で、よって使用とメンテナンスコストを引き下げることができる。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１０    制御体
１１    駆動モーター
１１０  受動清掃部品
１２    時間コントローラー
２０    ソーラーパネル体
２１    底縁部
２２    背面板部
２３    ジャンクションボックス体
２３０  接続コード
３０    電力調節器
４０    ソーラーパネル体
４１    駆動装置
４２    主動バーユニット
４３    受動バーユニット
４４    連動スクレイプユニット
【図１】
0003153488.tif 000003
【図２】
0003153488.tif 000004
【図３】
0003153488.tif 000005
【図４】
0003153488.tif 000006
【図５】
0003153488.tif 000007
【図６】
0003153488.tif 000008
【図７】
0003153488.tif 000009